(57)【要約】【課題】ターンテーブルに装着した光ディスクのクランプヘッドからの脱落を確実に防止し、光ディスクの損傷を未然に防止する。【解決手段】記録媒体（光ディスクＤ）を装填したディスクトレイ１をシャーシケース７内で前進後退させてロード／アンロードいるようにしたディスク装置であり、前記シャーシケース７とシャーシケース７内にロードして静止した状態の前記ディスクトレイ１との相対的な位置関係において、該ディスクトレイ１のターンテーブル３に装着された記録媒体（光ディスクＤ）の中心孔の縁部位置に対向するカバーシャーシ９の天板面に制止部材１３を固着し、記録媒体（光ディスクＤ）のクランプヘッド４からの脱落を防止する。【選択図】    図１
2004164688.tif 000002
【特許請求の範囲】
【請求項１】
記録媒体を装填したディスクトレイをシャーシケース内で前進後退させてロード／アンロードするようにしたディスク装置であり、
前記シャーシケースとシャーシケース内にロードして静止した状態の前記ディスクトレイとの相対的な位置関係において、該ディスクトレイのターンテーブルに装着された記録媒体の中心孔の縁部位置に対向するカバーシャーシの天板面に制止部材を固着し、記録媒体のクランプヘッドからの脱落を防止するようにしたことを特徴とするディスク装置。
【請求項２】
ディスクトレイのターンテーブルに装着された記録媒体の中心孔の奥部側の縁部位置に対向するカバーシャーシの天板面に制止部材を固着したことを特徴とする請求項１記載のディスク装置。
【請求項３】
ディスクトレイのターンテーブルに装着された記録媒体の中心孔の縁部位置に対向するカバーシャーシの天板面に、ディスクトレイ前方側へ向かう上り勾配の傾斜面が周縁に形成された制止部材を固着したことを特徴とする請求項１記載のディスク装置。
【発明の詳細な説明】
【０００１】
【発明の属する技術分野】
本発明は、記録媒体として普及しているＣＤ（Ｃｏｍｐａｃｔ  Ｄｉｓｃ）あるいはＤＶＤ（Ｄｉｇｉｔａｌ  Ｖｅｒｓａｔｉｌｅ  Ｄｉｓｋ）などの光ディスクをドライブするディスク装置に関するもので、ディスクトレイのターンテーブルに装着した光ディスクの脱落を防止するようにしたものである。
【０００２】
【従来の技術】
一般にパーソナルコンピュータ（以下、パソコンという）などの情報機器本体には光ディスクをドライブするディスク装置が内蔵され、一体化されており、光ディスクへの情報の記録再生が行われる（例えば、特許文献１参照）。図７は、このようなディスク装置を内蔵したノート型パソコンの外観を示すもので、通常、このディスク装置は、スイッチ操作あるいはパソコン本体からの指令によりディスクトレイ１がポップアウトし、さらにパソコンの使用者がディスクトレイ１を本体から引き出して同図矢印Ａ方向へのアンロードがなされ、光ディスクＤを装填するようにしている。そして、光ディスクＤが装填されたディスクトレイ１のロードは、同図矢印Ｂ方向へ前進させ、パソコン本体内にディスクトレイ１を収める。
【０００３】
図８は、特にノート型パソコンに多く採用されているディスク装置の外観を示すもので、同図に示すごとくディスクトレイ１の中央に、直下に配したスピンドルモータ２の駆動軸に固定されたターンテーブル３が配置され、このターンテーブル３と一体に構成されたクランプヘッド４のチャック爪４ａで光ディスクＤの中心孔をクランプし、回転力を伝達するようにしている。また、光ピックアップを主体に構成したヘッドユニット５は、ディスクトレイ１に形成されたスリット１ａ内を半径方向に移動し、光ディスクＤに対し情報の記録再生を行うようにしている。そして、このように構成されたディスクトレイ１は、ガイドレール６に支持されてシャーシケース７内に収まるように構成されている。なお、前記ディスクトレイ１の表面は、外周に台縁部１ｂが形成され、この台縁部１ｂに囲まれる内周に光ディスクＤの収容部１ｃが形成されている。
【０００４】
つぎに、アルミニウム、マグネシウムなどの軽金属で成型されるシャーシケース７は、図９に示すごとくベースシャーシ８とカバーシャーシ９からなり、ベースシャーシ８の開口をカバーシャーシ９で覆い、ネジ止めされる。そして、カバーシャーシ９の天板の中央部、即ち、ディスクトレイ１がロードされて静止したときのクランプヘッド４に対応する位置に開口部９ａが形成されており、この開口部９ａを覆蔽する封止フィルム１０が貼着されている。なお、前記封止フィルム１０を貼着する部分は、この封止フィルム１０の肉厚相当の凹陥部９ｂとなっており、カバーシャーシ９と封止フィルム１０の表面が面一となるようにしている。
【０００５】
上記のように構成されていることにより、開口部９ａの直下にはクランプヘッド４が位置する状態となり、この状態でディスク装置が駆動されると、ターンテーブル３に装填された光ディスクＤが回転し、この光ディスクＤの表面における空気の粘性抵抗と遠心力により回転中心から外周へ流れる空気流により負圧が発生する。このような状態になると、カバーシャーシ９の中心部が吸引される状態で撓み、クランプヘッド４がカバーシャーシ９と接触する危険があるが、前記構成、即ち、開口部９ａを形成したことにより封止フィルム１０までの間隙を大きくしたことにより、このような問題を解決するようにしている。
【０００６】
【特許文献１】
特願２００２−１７１６０４号
【０００７】
【発明が解決しようとする課題】
上記構成のディスク装置における光ディスクＤのクランプは、図１０に示すようにクランプヘッド４の複数箇所に配置されたチャック爪４ａに光ディスクＤの中心孔の端部が掛け止めされ、ターンテーブル３に貼着されているパッド１１上に押圧される状態で静止状態が保たれる。そして、前記チャック爪４ａは、クランプヘッド４内に内蔵した圧縮コイルバネ１２により常時、外周方向に付勢されており、この付勢力が光ディスクＤの保持状態の強弱を左右することになる。
【０００８】
ところで、薄型化して構成された上記ディスク装置では、光ディスクのクランプヘッドからの脱落が了てから問題となっていた。特にノート型パソコンに内蔵されたディスク装置、パソコン本体に縦型に配置されたディスク装置では、光ディスクの脱落事故の確率が高いものであった。図１１は、光ディスクＤのクランプヘッド４からの脱落の状態を示したもので、同図に示す状態に至ると、光ディスクＤはディスクトレイ１内で空転状態となり、外周の台縁部１ｂに乗り上げるなどして、データ記録面を損傷してしまうことになる。また、このような状態においてディスクトレイを引き出すと、光ディスクに強引な力が加わり、損傷を大きなものとする原因となる。
【０００９】
このような事故を防止するための最も簡易な方法は、圧縮コイルバネ１２のバネ力を強力なものにすることであるが、光ディスクの中心孔が強力に挟持されると、光ディスクが湾曲することが知られている。このような湾曲は微視的なものであっても、高密度にデータが記録された光ディスクにおいては読み取りエラーの原因となり、また、書き込みエラーの原因ともなる。そして、圧縮コイルバネ１２を強力なものとした場合、チャック爪４ａの押圧が強力となり、光ディスクの装脱における操作性が低下するとともにチャック爪の耐久性を低下するなど多くの問題を生ずることになる。
【００１０】
本発明は、かかる従来の問題に鑑みなされたものであり、ターンテーブルに装着した光ディスクのクランプヘッドからの脱落を確実に防止することを目的とするもので、光ディスクの損傷を未然に防止できるようにしたものである。
【００１１】
【課題を解決するための手段】
そこで、本発明の請求項１記載の発明では、記録媒体を装填したディスクトレイをシャーシケース内で前進後退させてロード／アンロードするようにしたディスク装置であり、前記シャーシケースとシャーシケース内にロードして静止した状態の前記ディスクトレイとの相対的な位置関係において、該ディスクトレイのターンテーブルに装着された記録媒体の中心孔の縁部位置に対向するカバーシャーシの天板面に制止部材を固着し、記録媒体のクランプヘッドからの脱落を防止するようにする。
【００１２】
また、請求項２記載の発明では、請求項１記載の構成において、ディスクトレイのターンテーブルに装着された記録媒体の中心孔の奥部側の縁部位置に対向するカバーシャーシの天板面に制止部材を固着するようにする。
【００１３】
さらに、請求項３記載の発明では、請求項１記載の構成において、ディスクトレイのターンテーブルに装着された記録媒体の中心孔の縁部位置に対向するカバーシャーシの天板面に、ディスクトレイ前方側へ向かう上り勾配の傾斜面が周縁に形成された制止部材を固着するようにする。
【００１４】
【発明の実施の形態】
以下、本発明の実施の形態を図にもとづいて詳細に説明する。なお、従来の構成と共通する部分には同一の符号を付してその説明を省略する。
【００１５】
図１は、本発明の第１実施例の実施状態の斜視図であり、カバーシャーシ９の凹陥部９ｂに形成された開口部９ａの奥部側にＵ字形状の制止部材１３が接着剤により固着されている。そして、この制止部材１３は、開口部９ａの奥部側に固着されていることからクランプヘッド４の進入路の妨げとならないことにより、光ディスクＤの縁部に十分接近させた肉厚とすることができる。なお、この制止部材１３の素材は、表面に十分な滑性を具えた硬質の合成樹脂などが望ましい。
【００１６】
本発明の第１実施例は上記のように構成されているので、ディスクトレイ１をロードしてシャーシケース７内で静止させたとき、前記制止部材１３は、図２に示しごとく光ディスクＤの中心孔の奥部側の縁部に対向して接近した状態となる。したがって、衝撃などにより、図３に示すごとく光ディスクＤの中心孔がチャック爪４ａから外れるようなことがあっても、光ディスクＤの縁部は制止部材１３に当接し、クランプヘッド４からの脱落が阻止され、ディスクトレイ１内で光ディスクＤが遊動するのを防止することができる。そして、制止部材１３をカバーシャーシ９よりも滑性の高い素材（合成樹脂など）を採用して構成したことにより、光ディスクＤの中心孔の縁部がこの制止部材１３に当接することがあっても、摺接抵抗が小さくなっていることから、光ディスクＤの回転速度の低下を抑えることができる。
【００１７】
図４は、本発明の第２実施例の実施状態の斜視図であり、第１実施例と同様に、カバーシャーシ９の凹陥部９ｂに形成された開口部９ａの全周を囲むように通孔１４ａが形成されたリング形状の制止部材１４が接着剤により固着されている。そして、この制止部材１４は、図５に示すごとく外周へ向かう上り勾配の傾斜面１４ｂが周縁に形成されている。なお、前記傾斜面１４ｂは、少なくともディスクトレイ１の進入方向に対向する周縁に形成すればよく、必ずしも全周を傾斜面としなくともよい。また、第２実施例における制止部材１４の素材は、第１実施例と同様、表面に十分な滑性を具えた硬質の合成樹脂などが望ましい。
【００１８】
本発明の第２実施例は上記のように構成されているので、ディスクトレイ１をロードしてシャーシケース７内で静止させたとき、前記制止部材１４は、図６に示すごとく光ディスクＤの中心孔の全周の縁部に対向して接近した状態となる。したがって、衝撃などにより、光ディスクＤの中心孔がチャック爪４ａから外れるようなことがあっても、光ディスクＤの縁部は制止部材１４に当接し、クランプヘッド４からの脱落が阻止され、ディスクトレイ１内で光ディスクＤが遊動するのを防止することができる。そして、第２実施例の構成によれば、制止部材１４に傾斜面１４ｂを形成してあるので、例えば、非定常的なディスクトレイ１の操作により、クランプヘッド４の頂部が制止部材１４に接触するようなことがあっても、傾斜面１４ｂでクランプヘッド４の頂部が下方へ案内される状態となるので、ディスクトレイ１の動作性を低下させることがない。
【００１９】
なお、上述の説明においては、傾斜面を形成しないＵ字形状の制止部材と、傾斜面を形成したリング形状の制止部材を実施例として説明したが、傾斜面を形成したＵ字形状の制止部材、あるいは傾斜面を形成しないリング形状の制止部材を用いても本発明の所期の目的を達成することができる。また、リング形状の制止部材を採用した場合において、その内周の縁部に傾斜面を形成しておくことにより、アンロードする際、クランプヘッドが制止部材に接触するようなことがあっても、この傾斜面がクランプヘッドを案内して緩衝的作用を果たし、ディスクトレイの動作性に影響を及ぼさないようにすることができる。
【００２０】
【発明の効果】
以上詳細に説明したように、請求項１記載の発明によれば、記録媒体の中心孔の縁部位置に対向するカバーシャーシの天板面に制止部材を固着するようにしたので、光ディスクのクランプヘッドからの脱落を未然に防止することができ、光ディスクの保護を確実なものとすることができる。
【００２１】
また、請求項２記載の発明によれば、記録媒体の中心孔の奥部側の縁部位置に対向するカバーシャーシの天板面に制止部材を固着するようにしたので、クランプヘッドの進入路の妨げとならず、したがって、この制止部材を可能な限り厚いものとすることができることから、その表面を光ディスクの縁部に十分接近させることができ、光ディスクの脱落をより効果的に防止することができる。
【００２２】
さらに、請求項３記載の発明によれば、光ディスクの中心孔の全周の縁部に制止部材を対向させるようにしたので、クランプヘッドの外周上のどの部分で光ディスクの脱落が生じる状態が発生しても、速やかに制止部材の機能が作用し、光ディスクの脱落を確実に防止することができる。
【図面の簡単な説明】
【図１】本発明の第１実施例の実施状態を示す斜視図である。
【図２】本発明の第１実施例の構成を示す断面図である。
【図３】本発明の第１実施例の構成が機能している状態を示す断面図である。
【図４】本発明の第２実施例の実施状態を示す斜視図である。
【図５】本発明の第２実施例で採用する制止部材の断面図である。
【図６】本発明の第２実施例の構成を示す断面図である。
【図７】ノート型パソコンの外観を示す斜視図である。
【図８】従来のディスク装置の外観を示す斜視図である。
【図９】従来のディスク装置の組み立て状態を示す斜視図である。
【図１０】従来のディスク装置の構成を示す断面図である。
【図１１】従来のディスク装置の不具合の状態を示す断面図である。
【符号の説明】
１・・・・・・デスクトレイ
２・・・・・・スピンドルモータ
３・・・・・・ターンテーブル
４・・・・・・クランプヘッド
４ａ・・・・・チャック爪
５・・・・・・ヘッドユニット
６・・・・・・ガイドレール
７・・・・・・シャーシケース
８・・・・・・ベースシャーシ
９・・・・・・カバーシャーシ
１０・・・・・封止フィルム
１１・・・・・パッド
１２・・・・・圧縮コイルバネ
１３・・・・・制止部材
１４・・・・・制止部材
【図１】
2004164688.tif 000003
【図２】
2004164688.tif 000004
【図３】
2004164688.tif 000005
【図４】
2004164688.tif 000006
【図５】
2004164688.tif 000007
【図６】
2004164688.tif 000008
【図７】
2004164688.tif 000009
【図８】
2004164688.tif 000010
【図９】
2004164688.tif 000011
【図１０】
2004164688.tif 000012
【図１１】
2004164688.tif 000013